(57)【要約】【課題】位置調整後の操作部材の操作による光軸方向位置調整レンズの位置の変動を防止できる撮像装置を提供する。【解決手段】撮像装置（１、１００）は、光軸方向位置調整レンズと、位置調整レンズを駆動する操作部材（２１４）とを有する交換レンズ（２００）を装着可能である。撮像装置（１、１００）は、操作指示を取得する操作部（１３０）と、撮像装置の動作を制御する制御部（１４０）とを備える。制御部（１４０）は、操作部材（２１４）の操作に応じてレンズ位置を調整するマニュアルフォーカスモードと、自動でレンズ位置を調整するオートフォーカスモードとを有する。制御部（１４０）は、取得部での操作指示にしたがい、マニュアルフォーカスモードにおいて操作部材（２１４）に対するユーザ操作がなされてもレンズを駆動しないロック機能の有効／無効を設定する。【選択図】図１
2019204076.tif 000002
【特許請求の範囲】
【請求項１】
光軸方向位置調整レンズと、ユーザが前記光軸方向位置調整レンズを駆動する操作を行うための操作部材とを有する交換レンズを装着可能な撮像装置であって、
ユーザの設定操作の操作指示を取得する取得部と、
前記撮像装置の動作を制御する制御部と、を備え、
前記制御部は、前記操作部材の操作に応じて前記光軸方向位置調整レンズの位置を調整するマニュアルモードと、自動で前記光軸方向位置調整レンズの位置を調整するオートモードとを有し、
前記制御部は、前記取得部でのユーザによる操作指示にしたがい、前記マニュアルモードにおいて前記操作部材に対するユーザ操作がなされても前記光軸方向位置調整レンズを駆動しないロック機能の有効／無効を設定する、
撮像装置。
【請求項２】
前記制御部は、前記交換レンズにおいて前記ロック機能の有効／無効を設定するための制御信号を前記交換レンズに送信する、請求項１に記載の撮像装置。
【請求項３】
前記ロック機能が有効に設定されている場合、前記交換レンズは、前記操作部材による操作に応じた操作信号を無効にする、請求項１に記載の撮像装置。
【請求項４】
前記ロック機能が有効に設定されていることを示す所定の情報を表示する表示部をさらに備えた、請求項１に記載の撮像装置。
【請求項５】
前記制御部は、前記ロック機能が有効に設定されている状態で前記撮像装置の電源がオフされた場合、その後に前記撮像装置の電源がオンされたときに、電源がオフされる直前の光軸方向位置調整レンズの位置に前記光軸方向位置調整レンズを移動させるように前記交換レンズを制御する、請求項１に記載の撮像装置。
【請求項６】
前記光軸方向位置調整レンズは、フォーカスレンズである、請求項１に記載の撮像装置。
【請求項７】
前記取得部は、ユーザが設定操作を行う操作部である、請求項１に記載の撮像装置。
【請求項８】
前記操作部は、前記ロック機能を設定するためのメニュー画面を含む、請求項１に記載の撮像装置。
【請求項９】
前記取得部は、ユーザが設定操作を行うリモートコントローラ又は携帯端末からの操作指示を受信する通信部である、請求項１に記載の撮像装置。
【発明の詳細な説明】
【技術分野】
【０００１】
本開示は、フォーカスレンズ又はズームレンズ等の光軸方向位置調整レンズに対する操作部材を操作し、手動で合焦状態又はズーム状態を調整可能な撮像装置に関する。
【背景技術】
【０００２】
撮像装置は、光軸方向の位置を調整可能な光軸方向位置調整レンズを有する。光軸方向の位置を調整することでフォーカス状態やズーム状態を調整する。また、光軸方向位置調整レンズであるフォーカスレンズを手動で操作するための操作部材としてフォーカスリングを備えた撮像装置がある。例えば、特許文献１は、被写体の合焦状態を調整するフォーカスレンズと、使用者の操作を受け付ける操作部（フォーカスリング）と、操作部の操作に基づいてフォーカスレンズを駆動する駆動部と、を備える撮像装置を開示する。駆動部は、フォーカス位置を単位距離動かすときの操作部の操作量が被写体距離によらず一定となるようにフォーカスレンズを駆動する。
【先行技術文献】
【特許文献】
【０００３】
【特許文献１】特開２０１６−１９１９０８号公報
【発明の概要】
【発明が解決しようとする課題】
【０００４】
撮像装置においてフォーカスリングを操作して所望の合焦状態を得た後、誤ってフォーカスリングを操作した場合、また、意図せずにフォーカスリングに触れてしまった場合、フォーカスレンズ位置が変動してしまう。このため、再度、所望の合焦状態に調整する必要が生じ、ユーザの手間となる。
【０００５】
本開示は、光軸方向位置調整レンズの位置調整の後において、誤操作等による、意図しない操作部材の操作による光軸方向位置調整レンズの位置の変動を防止できる撮像装置を提供する。
【課題を解決するための手段】
【０００６】
本開示の一態様において、光軸方向位置調整レンズと、ユーザが光軸方向位置調整レンズを駆動する操作を行うための操作部材とを有する交換レンズを装着可能な撮像装置が提供される。撮像装置は、ユーザの設定操作の操作指示を取得する取得部と、撮像装置の動作を制御する制御部と、を備える。制御部は、操作部材の操作に応じて光軸方向位置調整レンズの位置を調整するマニュアルモードと、自動で光軸方向位置調整レンズの位置を調整するオートモードとを有する。制御部は、取得部でのユーザによる操作指示にしたがい、マニュアルモードにおいて操作部材に対するユーザ操作がなされても光軸方向位置調整レンズを駆動しないロック機能の有効／無効を設定する。
【発明の効果】
【０００７】
本開示の撮像装置によれば、マニュアルモードにおいて、操作部材（例えば、フォーカスリング）の操作を無効に設定できる。このため、マニュアルモードにおいて、一旦光軸方向レンズ位置（フォーカス位置又はズーム位置）を調整後にレンズ位置を固定したいときは、操作部材の操作を無効に設定することで、誤操作等による意図しない操作部材の移動によるレンズ位置の変動を防止できる。
【図面の簡単な説明】
【０００８】
【図１】本開示の実施の形態１におけるデジタルカメラの構成を示す図
【図２】フォーカスリングロック機能の設定（マニュアルフォーカスモードにおけるフォーカスリング操作の無効設定）のためのメニュー画面の例を示す図
【図３】メニュー画面上でのフォーカスリングロック機能の設定変更がなされたときに実施されるカメラコントローラの処理を示すフローチャート
【図４】マニュアルフォーカスモードにおいてフォーカスリング操作がなされたときに実施されるレンズコントローラの処理を示すフローチャート
【図５】フォーカスリングロック機能がＯＮに設定されていることを示すアイコンの一例を示す図
【図６】本開示の実施の形態２におけるデジタルカメラの構成を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
［１−１．構成］
実施の形態１におけるデジタルカメラは、光軸方向位置調整レンズとして、フォーカスレンズを例に挙げて説明する。なお、光軸方向位置調整レンズには、フォーカスレンズ以外にもズームレンズも含まれる。したがって、以下の実施の形態１をズームレンズについても適用することができる。実施の形態１におけるデジタルカメラは、ユーザのマニュアル操作によりフォーカスレンズを移動してフォーカスを調整するマニュアルフォーカスモード（以下「ＭＦモード」という）と、デジタルカメラが自動でフォーカスレンズを合焦位置に移動してフォーカスを調整するオートフォーカスモード（以下「ＡＦモード」という）とを有する。
【００１１】
図１は、実施の形態１におけるデジタルカメラの構成を示す図である。図１に示すように、デジタルカメラ１は、カメラボディ１００と交換レンズ２００とから構成される。交換レンズ２００には、ユーザがフォーカス操作を行うためのフォーカスリング２１４が設けられている。ユーザは、ＭＦモードにおいて、フォーカスリング２１４を回転操作することによりマニュアルで合焦動作を行うことができる。以下、カメラボディ１００と交換レンズ２００のより詳細な構成を説明する。
【００１２】
［１−１−１．カメラボディ］
カメラボディ１００は、ＣＭＯＳイメージセンサ１１０と、液晶モニタ１２０と、カメラコントローラ１４０と、ボディマウント１５０と、カードスロット１７０とを備える。
【００１３】
カメラコントローラ１４０は、レリーズ釦からの指示に応じたＣＭＯＳイメージセンサ１１０等の制御を含む、デジタルカメラ１全体の動作を制御する。カメラコントローラ１４０は、制御動作や画像処理動作の際に、ＤＲＡＭ１４１をワークメモリとして使用する。カメラコントローラ１４０は制御部の一例である。
【００１４】
ＣＭＯＳイメージセンサ１１０は、交換レンズ２００を介して入射される被写体像を撮像してアナログ画像信号を生成するイメージセンサである。生成されたアナログ画像信号は、ＡＤコンバータ（ＡＤＣ）１１１でデジタル画像データに変換される。ＡＤコンバータ１１１で変換された画像データは、カメラコントローラ１４０で様々な画像処理が施される。様々な画像処理とは、例えば、ガンマ補正処理、ホワイトバランス補正処理、キズ補正処理、ＹＣ変換処理、電子ズーム処理、ＪＰＥＧ圧縮処理などの画像圧縮処理等である。
【００１５】
ＣＭＯＳイメージセンサ１１０は、カメラコントローラ１４０で生成されるタイミングで動作する。ＣＭＯＳイメージセンサ１１０は、静止画または動画の撮像、スルー画像の撮像等を行う。スルー画像とは、撮像後、メモリカード１７１に記録しない画像である。スルー画像は、主に動画であり、液晶モニタ１２０に表示され、ユーザにより撮像画像の構図を決定するために参照される。
【００１６】
液晶モニタ１２０は、カメラコントローラ１４０で画像処理された表示用画像データが示す画像を表示する。液晶モニタ１２０は動画も静止画も選択的に表示可能である。液晶モニタ１２０に代えて、有機ＥＬディスプレイ等の他の種類の表示デバイスを用いてもよい。
【００１７】
操作部１３０は、ユーザがデジタルカメラ１に対して指示や設定を行うための操作部材を含む。例えば、操作部１３０は、レリーズ釦、カーソルキー、ジョグダイヤル、モードダイヤル、タッチパネル等を含む。
【００１８】
カードスロット１７０は、メモリカード１７１を装着可能である。カードスロット１７０は、カメラコントローラ１４０からの制御に基づいて、メモリカード１７１を制御する。すなわち、カメラコントローラ１４０の画像処理により生成された画像データがメモリカード１７１に格納される。メモリカード１７１には種々の画像ファイルが格納可能であり、例えばＪＰＥＧ画像ファイルが格納される。また、メモリカード１７１から、それに格納される画像データ又は画像ファイルが読み出し可能である。メモリカード１７１から読み出された画像データ又は画像ファイルは、カメラコントローラ１４０で画像処理される。例えば、カメラコントローラ１４０は、メモリカード１７１から取得した画像データ又は画像ファイルを伸張して表示用画像データを生成する。
【００１９】
ボディマウント１５０は、交換レンズ２００のレンズマウント２５０と機械的及び電気的に接続可能である。ボディマウント１５０は、レンズマウント２５０を介して、交換レンズ２００との間でデータを送受信可能である。
【００２０】
なお、カメラボディ１００には、図示してないが、デジタルカメラ１の設定をＡＦ（オートフォーカス）モードとＭＦ（マニュアルフォーカス）モードとの間で切り替えるためのモード切替スイッチが設けられている。モード切替スイッチは、ユーザによる操作に応じて切替信号をカメラコントローラ１４０に出力する。カメラコントローラ１４０は、切替信号に応じたフォーカスモードに設定する制御信号をレンズコントローラ２４０に送信する。これによって、デジタルカメラ１の設定をＡＦモードとＭＦモードの間で切り替えることができる。
【００２１】
［１−１−２．交換レンズ］
交換レンズ２００は、光学系とレンズコントローラ２４０とレンズマウント２５０とを備える。交換レンズ２００の光学系はズームレンズ２１０、ＯＩＳレンズ２２０、絞り２６０、フォーカスレンズ２３０を含む。
【００２２】
ズームレンズ２１０は、交換レンズ２００の光学系で形成される被写体像の倍率を変化させるためのレンズである。ズームレンズ２１０は、１枚又は複数枚のレンズで構成される。駆動機構２１１は、ユーザが回転操作可能なズームリング２１３の動きに機械的に連動してズームレンズ２１０を移動させる機構である。駆動機構２１１は、ユーザによるズームリング２１３の操作に基づき、ズームレンズ２１０を光学系の光軸方向に沿って移動させる。
【００２３】
第１検出器２１２は、駆動機構２１１によるズームレンズの移動または駆動量を検出する。また、第１検出器２１２はズームリング２１３の位置すなわちズームレンズ２１０の位置を検出する。レンズコントローラ２４０は、第１検出器２１２における検出結果を取得することにより、光学系におけるズーム倍率、ズームレンズ２１０の位置、並びに、ズームリング２１３の位置、回転量及び回転速度を把握することができる。
【００２４】
ＯＩＳレンズ２２０は、交換レンズ２００の光学系で形成される被写体像のぶれを補正するためのレンズである。ＯＩＳレンズ２２０は、デジタルカメラ１のぶれを相殺する方向に移動することにより、ＣＭＯＳイメージセンサ１１０上の被写体像のぶれを小さくする。ＯＩＳレンズ２２０は、１枚又は複数枚のレンズで構成される。アクチュエータ２２１は、ＯＩＳ用ＩＣ２２３からの制御を受けて、光学系の光軸に垂直な面内でＯＩＳレンズ２２０を駆動する。位置検出センサ２２２は、光学系の光軸に垂直な面内におけるＯＩＳレンズ２２０の位置を検出するセンサである。ＯＩＳ用ＩＣ２２３は、位置検出センサ２２２の検出結果及びジャイロセンサなどのぶれ検出器の検出結果に基づいて、アクチュエータ２２１を制御する。
【００２５】
絞り２６０は、光学系を通過する光の量を調整するための部材である。絞り２６０は、例えば、複数の絞り羽根からなり、羽根で構成する開口部を開閉することにより、光量を調整可能である。
【００２６】
フォーカスレンズ２３０は、光学系でＣＭＯＳイメージセンサ１１０上に形成される被写体像のフォーカス状態を変化させるためのレンズである。フォーカスレンズ２３０は、１枚又は複数枚のレンズで構成される。
【００２７】
フォーカスモータ２３３は、レンズコントローラ２４０の制御に基づいて、フォーカスレンズ２３０が光学系の光軸に沿って進退するよう駆動する。これにより、光学系でＣＭＯＳイメージセンサ１１０上に形成される被写体像のフォーカス状態を変化させることができる。本実施の形態においては、フォーカスモータ２３３としてステッピングモータを用いる。但し、フォーカスモータはこれに限定されず、例えば、ＤＣモータで構成してもよいし、超音波モータで構成してもよい。
【００２８】
フォーカスリング２１４は、交換レンズ２００の外装に設けられ、ユーザからフォーカスレンズ２３０を移動させるための操作（指示）を受け付ける操作部材である。
【００２９】
第２検出器２１５は、フォーカスリング２１４がユーザによって操作されると、フォーカスリング２１４の操作量（回転量）を検知する。第２検出器２１５はフォトインタラプタを備え、フォトインタラプタがフォーカスリング２１４の操作量を検知し、検知した操作量を示す操作信号（パルス信号）をレンズコントローラ２４０に出力する。第２検出器２１５は、フォトインタラプタに代えて、フォーカスリング２１４の操作量を検知する摺動抵抗を備えてもよい。
【００３０】
レンズコントローラ２４０は、カメラコントローラ１４０からの制御信号に基づいて、ＯＩＳ用ＩＣ２２３やフォーカスモータ２３３の制御を含む交換レンズ２００全体を制御する。例えば、レンズコントローラ２４０は、ＡＦモードにおいては、カメラコントローラ１４０からの制御信号に基づいて、フォーカスレンズ２３０を光軸に沿って所定の駆動方法で進退させるようにフォーカスモータ２３３を制御する（ウォブリング制御）。または、ＭＦモードにおいては、ユーザによるフォーカスリング２１４の操作、すなわち、第２検出器２１５からの検出信号に応じて、フォーカスレンズ２３０を移動させる。
【００３１】
また、レンズコントローラ２４０は、第１、第２検出器２１２、２１５、ＯＩＳ用ＩＣ２２３などから信号を受信して、カメラコントローラ１４０に送信する。レンズコントローラ２４０は、カメラコントローラ１４０との間で、レンズマウント２５０及びボディマウント１５０を介してデータの送受信を行う。
【００３２】
レンズコントローラ２４０は、ＳＲＡＭ２４１をワークメモリとして使用する。また、フラッシュメモリ２４２は、レンズコントローラ２４０の制御に使用するプログラムやパラメータを保存する。
【００３３】
カメラコントローラ１４０及びレンズコントローラ２４０はプログラムを実行して所定の機能を実現する。ここで、実行されるプログラムはＤＶＤ−ＲＯＭ、ＣＤ−ＲＯＭ等の記録媒体によってデジタルカメラ１に提供されてもよいし、通信回線を介してネットワーク上のサーバからダウンロードされてもよい。また、カメラコントローラ１４０及びレンズコントローラ２４０の機能は、ハードウェアとソフトウェア（アプリケーションプログラム）の協働により実現したが、所定の機能を実現するように専用に設計されたハードウェア回路のみで実現してもよい。カメラコントローラ１４０及びレンズコントローラ２４０は、それぞれ、ＣＰＵ、ＭＰＵのみならず、ＤＳＰ、ＦＰＧＡ、ＡＳＩＣ等で構成することができる。
【００３４】
［１−２．動作］
以上のように構成されるデジタルカメラ１についてフォーカスリング操作に関する動作について説明する。
【００３５】
本実施の形態のデジタルカメラ１では、ＭＦ（マニュアルフォーカス）モードにおいては、ユーザによるフォーカスリング２１４の操作に応じてフォーカスレンズ２３０が移動し、合焦状態が変化する。具体的には、ＭＦモードにおいて、フォーカスリング２１４が操作されると、第２検出器２１５がその操作量を検出し、検出した操作量を示す情報をレンズコントローラ２４０に送信する。
【００３６】
レンズコントローラ２４０は、その操作量に応じた移動量だけフォーカスレンズ２３０を移動させるようにフォーカスモータ２３３を制御する。これにより、フォーカスレンズ２３０は、フォーカスリング２１４の操作量に応じて移動する。
【００３７】
以上のように、ＭＦモードでは、フォーカスリング２１４の操作に応じてフォーカスレンズ２３０が駆動され、ユーザはマニュアル操作でフォーカスを調整することが可能となる。しかしながら、この場合、下記の問題が考えられる。
【００３８】
例えば、天体撮影時の場合、ユーザは、時間をかけてフォーカスリング２１４を操作して合焦状態を調整する。この場合、一旦、合焦状態に調整した後、ユーザが誤ってフォーカスリング２１４に触れてしまうと、意図せずにフォーカスレンズ２３０が移動し、合焦状態が変動してしまう。そして、ユーザは再度時間をかけて合焦状態に調整する必要があり、これはユーザにとって非常な負荷となる。または、予め所望の位置にピントを合わせた状態でデジタルカメラを固定し、被写体（例えば、列車）がその位置を通過するのを待って撮影する場合もある。このような場合も、一旦合焦させた後に、ユーザが誤ってフォーカスリング２１４に触れてしまうと、意図せずにフォーカスレンズ２３０が移動し、合焦状態が変動してしまうことがある。この場合も、ユーザは再度時間をかけて合焦状態に調整しなければならず、ユーザに負担がかかる。
【００３９】
以上の問題を解決すべく、本実施の形態のデジタルカメラ１では、ＭＦモードにおいてフォーカスリング２１４の操作の有効／無効を設定できるフォーカスリングロック機能を設けた。フォーカスリングロック機能は、ＭＦモードにおいて、フォーカスリング２１４が操作された場合であっても、フォーカスレンズ２３０を駆動しないようにする機能である。
【００４０】
図２は、フォーカスリングロック機能の有効／無効を設定するためのメニュー画面の例を示した図である。このメニュー画面１２５は液晶モニタ１２０に表示される。ユーザは、メニュー画面１２５上で、タッチパネル機能またはカーソルキー、ダイヤル等の操作部１３０の操作により各項目の設定を行うことができる。このメニュー画面１２５上で、「フォーカスリングロック」の項目が「ＯＮ」に設定された場合、フォーカスリングロック機能が有効（ＯＮ）に設定される。「フォーカスリングロック」の項目が「ＯＦＦ」に設定された場合、フォーカスリングロック機能が無効（ＯＦＦ）に設定される。
【００４１】
フォーカスリングロック機能が有効に設定された場合、ＭＦモードにおいて、ユーザによりフォーカスリング２１４が操作されても、フォーカスレンズ２３０は駆動されない。すなわち、フォーカスリング操作は無効に設定される。一方、フォーカスリングロック機能が無効に設定された場合、ＭＦモードにおいて、ユーザによりフォーカスリング２１４が操作されると、フォーカスリング２１４の操作に応じてフォーカスレンズ２３０が駆動される。すなわち、フォーカスリング操作は有効に設定される。
【００４２】
図３は、フォーカスリングロック機能の設定が変更されたときに実施される処理を示すフローチャートである。以下、図３のフローチャートの処理を説明する。
【００４３】
メニュー画面１２５上でフォーカスリングロック機能の設定が変更され（Ｓ１でＹＥＳ）、かつ、フォーカスリングロック機能が「ＯＮ」に設定された場合（Ｓ２でＹＥＳ）、カメラコントローラ１４０は、レンズコントローラ２４０に対して、フォーカスリングロック機能をＯＮに設定するためのロック設定信号を送信する（Ｓ３）。レンズコントローラ２４０は、ロック設定信号を受信すると、交換レンズ２００におけるフォーカスリングロック機能をＯＮに設定する。これにより、ＭＦモードにおいてフォーカスリング２１４の操作が無効となる。
【００４４】
一方、フォーカスリングロック機能が「ＯＦＦ」に設定された場合（Ｓ２でＮＯ）、カメラコントローラ１４０は、フォーカスリングロック機能をＯＦＦに設定するためのロック解除信号をレンズコントローラ２４０に送信する（Ｓ４）。レンズコントローラ２４０は、ロック解除信号を受信すると、交換レンズ２００におけるフォーカスリングロック機能をＯＦＦに設定する。これにより、ＭＦモードにおいてフォーカスリング２１４の操作が有効となる。
【００４５】
図４は、ＭＦモードにおいてフォーカスリング操作がなされたときに実行されるレンズコントローラ２４０の処理を示すフローチャートである。以下、図４のフローチャートの処理を説明する。
【００４６】
ＭＦモードにおいて、ユーザにより意図的にまたは意図せずにフォーカスリング２１４が操作され、フォーカスリング２１４が回転した場合、第２検出器２１５はフォーカスリング２１４の操作量を示す操作信号をレンズコントローラ２４０に送信する。
【００４７】
レンズコントローラ２４０は、第２検出器２１５から操作信号を受信すると（Ｓ１０でＹＥＳ）、交換レンズ２００においてフォーカスリングロック機能がＯＮに設定されているか否か、すなわち、フォーカスリング操作が無効に設定されているか否かを検出する（Ｓ１１）。フォーカスリングロック機能がＯＮに（すなわち、フォーカスリング操作が無効）に設定されている場合（Ｓ１１でＹＥＳ）、レンズコントローラ２４０は、第２検出器２１５からの操作信号を無視する（Ｓ１２）。これにより、フォーカスリング操作がなされたにもかかわらず、フォーカスレンズ２３０は駆動されない。
【００４８】
一方、交換レンズ２００において、フォーカスリングロック機能がＯＮに設定されていない場合、すなわち、フォーカスリング操作が無効に設定されていない場合（Ｓ１１でＮＯ）、レンズコントローラ２４０は、第２検出器２１５からの操作信号に応じてフォーカスレンズ２３０を移動させるようにフォーカスモータ２３３を制御する（Ｓ１３）。これにより、フォーカスリング２１４の操作量に応じてフォーカスレンズ２３０が駆動される。
【００４９】
以上のように、フォーカスリングロック機能がＯＮに設定されている場合は、ＭＦモードにおいてフォーカスリング２１４が回転したとしても、フォーカスレンズ２３０が駆動されないため、合焦状態が変動することがない。
【００５０】
なお、上記の例では、ＭＦモードにおいて、第２検出器２１５からの操作信号を無視することで、フォーカスリング操作を無効化した。この方法に代えて、フォーカスリングロック機能がＯＮに設定された場合に、第２検出器２１５（すなわち、フォトインタラプタ）への通電をＯＦＦすることで、フォーカスリング操作の検出を不能にし、これにより、フォーカスリング操作を無効化してもよい。すなわち、フォーカスリングロック機能がＯＮに設定された場合、ＭＦモードにおいて、第２検出器２１５（すなわち、フォトインタラプタ）への通電をＯＦＦする。これによっても、フォーカスリング操作を無効化することができる。
【００５１】
また、ＭＦモードにおいて、フォーカスリングロック機能がＯＮに設定されている場合、フォーカスリングロック機能がＯＮであることを示す表示（アイコン、マーク、テキスト等）を液晶モニタ１２０に表示してもよい。例えば、フォーカスリングロック機能がＯＮに設定されている場合、図５に示すようなアイコン１２７（MFL: Manual Focus, Lock）を表示してもよい。この表示により、ユーザはフォーカスリング操作が無効に設定されていることを認識できる。
【００５２】
また、デジタルカメラ１の電源がＯＦＦにされたときにフォーカスレンズ位置が初期位置にリセットされる場合、デジタルカメラ１においてフォーカスリングロック機能がＯＮに設定されている状態で、デジタルカメラ１の電源オフの操作がなされた場合、デジタルカメラ１の電源が遮断される直前のフォーカスレンズ２３０の位置をフラッシュメモリ１４２に記憶しておいてもよい。そして、その後にデジタルカメラ１の電源がオンされたときに、カメラコントローラ１４０は、デジタルカメラ１の起動時に、フラッシュメモリ１４２から以前のフォーカスレンズ位置を読み出し、その位置まで、フォーカスレンズ２３０を移動させるようにしてもよい。
【００５３】
［１−３．効果等］
以上のように、本実施の形態のデジタルカメラ１またはカメラボディ１００は、フォーカスレンズ２３０と、ユーザがフォーカスレンズ２３０を駆動する操作を行うためのフォーカスリング２１４とを有する交換レンズ２００を装着可能な撮像装置である。デジタルカメラ１またはカメラボディ１００は、ユーザが設定操作を行う操作部１３０と、デジタルカメラ１の動作を制御するカメラコントローラ１４０と、を備える。カメラコントローラ１４０は、フォーカスリング２１４の操作に応じてフォーカスを調整するＭＦモードと、自動でフォーカスを調整するＡＦモードとを有する。カメラコントローラ１４０は、操作部１３０でのユーザ設定にしたがい、ＭＦモードにおいてフォーカスリング２１４に対するユーザ操作がなされてもフォーカスレンズ２３０を駆動しないフォーカスロック機能の有効（ＯＮ）／無効（ＯＦＦ）を設定する。
【００５４】
上記のデジタルカメラによれば、ＭＦモードにおいて所望の合焦状態にある場合にフォーカスロック機能を有効（ＯＮ）に設定することで、ユーザの意図に反してフォーカスリング２１４が移動した場合であっても、フォーカスレンズ２３０は移動しない。このため、合焦状態の変動を防止し、所望の合焦状態に維持することができる。
【００５５】
（実施の形態２）
次に、図６を参照して実施の形態２におけるデジタルカメラ１Ａについて説明する。図６は、本開示の実施の形態２におけるデジタルカメラ１Ａの構成を示す図である。
【００５６】
実施の形態２におけるデジタルカメラ１Ａが実施の形態１のデジタルカメラ１と異なる点は、実施の形態２におけるデジタルカメラ１Ａは、フォーカスロック機能のＯＮ／ＯＦＦを操作部１３０からの操作指示に代えて、又は、加えて、携帯端末３００からも操作指示できる点である。したがって、この点及び以下に記載された事項以外の点について、実施の形態２におけるデジタルカメラ１Ａは、実施の形態１におけるデジタルカメラ１と共通である。
【００５７】
携帯端末３００は、例えば、スマートフォンである。携帯端末３００には、デジタルカメラ１Ａを操作するためのアプリケーションがダウンロードされている。このアプリケーションを起動することで、携帯端末３００からデジタルカメラ１Ａを操作することが可能である。携帯端末３００はデジタルカメラ１Ａに対して、操作部１３０と同じ指示や設定を行うことができる。なお、携帯端末３００の代わりに、リモートコントローラを用いて遠隔でデジタルカメラ１Ａを操作してもよい。ユーザの操作によるリモートコントローラからの操作信号は通信部１８０で受信される。
【００５８】
デジタルカメラ１Ａは、携帯端末３００からの操作信号を受信する通信部１８０を有する。通信部１８０に受信した操作信号は、カメラコントローラ１４０に送られる。また、液晶モニタ１２０に送られる情報は、通信部１８０を介して携帯端末３００へ送信される。通信部１８０と携帯端末３００との通信規格は、例えば、Wi-Fi（登録商標）、Bluetooth（登録商標）、BLE（Bluetooth Low Energy）等を用いてもよい。
【００５９】
実施の形態１と同様にメニュー画面１２５が携帯端末３００の液晶モニタ３２０に表示される。ユーザは、メニュー画面１２５上で、タッチパネル機能または釦等の操作により各項目の設定を行うことができる。このメニュー画面１２５上で、「フォーカスリングロック」の項目が「ＯＮ」に設定された場合、フォーカスリングロック機能が有効（ＯＮ）に設定される。「フォーカスリングロック」の項目が「ＯＦＦ」に設定された場合、フォーカスリングロック機能が無効（ＯＦＦ）に設定される。
【００６０】
携帯端末３００において設定されたフォーカスリングロック機能の設定の操作信号は、通信部１８０、カメラコントローラ１４０をそれぞれ介してレンズコントローラ２４０に送られる。
【００６１】
携帯端末３００から遠隔でデジタルカメラ１Ａを操作することで、カメラボディ１００に触れること無くＭＦモードにおいてフォーカスリング２１４の操作のロック設定をすることができる。カメラコントローラ１４０は、操作部１３０でのユーザ設定にしたがい、ＭＦモードにおいてフォーカスリング２１４に対するユーザ操作がなされてもフォーカスレンズ２３０を駆動しないフォーカスロック機能の有効（ＯＮ）／無効（ＯＦＦ）を設定する。これにより、カメラボディ１００の部材を操作することでロックする場合と比べて、ロック操作による音や振動の発生を低減することができる。
【００６２】
電気的に又はソフトウェア的にフォーカスレンズ２３０のロック設定をするので、交換レンズ２００またはカメラボディ１００に取り付けられた操作部材を操作してロック設定する場合に比べて、カメラボディ１００での音や振動の発生を低減することができる。このことは、特に動画撮影中にロック設定する場合に有効である。ロック設定の音が記録されるのを防止し、撮影される動画に振動が発生するのを防止することができる。
【００６３】
（他の実施の形態）
以上のように、本出願において開示する技術の例示として、実施の形態１、２を説明した。しかしながら、本開示における技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。そこで、以下、他の実施の形態を例示する。
【００６４】
上記の実施の形態では、ＭＦモードにおいて、合焦後に合焦状態に固定したいときは、フォーカスリング２１４の回転操作を無効に設定することで、誤操作等による意図しない操作部材の移動による合焦状態の変動を防止した。しかし、フォーカスリングロック機能は、合焦状態の変動を防止するだけではなく、イルミネーションの撮影など意図的に非合焦状態でフォーカス位置を固定して玉ボケや図形ボケを撮影する場合のように、一旦フォーカス位置を調整後にフォーカスレンズ位置を固定したいときは、フォーカスリング２１４の回転操作を無効に設定することで、誤操作等による意図しない操作部材の移動によるフォーカスレンズ位置の変動を防止してもよい。
【００６５】
上記の実施の形態では、交換レンズ２００内のレンズコントローラ２４０がフォーカスリング２１４の操作を示す操作信号を受けてフォーカスモータ２３３を制御してフォーカスレンズ２３０を駆動した。フォーカスリング２１４の操作に基づくフォーカスレンズ２３０の駆動を、カメラボディ１００のカメラコントローラ１４０が制御してもよい。この場合、カメラボディ１００のカメラコントローラ１４０は、マウント２５０、１５０を介して、交換レンズ２００からフォーカスリング２１４の操作を示す操作信号を受信する。カメラコントローラ１４０は、操作信号に基づきフォーカスレンズ２３０の駆動信号を生成し、マウント２５０、１５０を介して、交換レンズ２００に送信する。フォーカスリングロック機能がＯＮに設定されている場合、カメラコントローラ１４０は、交換レンズ２００から受信した操作信号を無視するようにすればよい。
【００６６】
上記の実施の形態では、フォーカスレンズを操作するための操作部材の一例としてフォーカスリングを例示したが、この操作部材は、フォーカスレンズの駆動を指示するものであれば、レバーやスイッチ等、他の種類の操作部材でもよい。
【００６７】
上記の実施の形態では、フォーカスリングロック機能の有効／無効の設定を行う操作部の一例としてメニュー画面を示したが、操作部はこれに限定されない。操作部は、例えば、カメラボディ１００に配置された物理的なスイッチ、ボタンまたはダイヤルでもよい。
【００６８】
上記の実施の形態では、フォーカスレンズ２３０のフォーカリングロック機能の有効／無効の設定を行っていたがこれに限定されない。ズームレンズ２１０のズーム調整ロック機能の有効／無効の設定に適用してもよい。フォーカスレンズ２３０もズームレンズ２１０もどちらも、光軸方向の位置を調整することで、フォーカス位置及びズーム位置を調整することができるレンズである。したがって、フォーカスレンズ２３０のフォーカスリングロック機能の有効／無効の設定をズームレンズ２１０のズーム調整ロック機能の有効／無効の設定に適用することができる。
【００６９】
上記の実施の形態では、第２検出器２１５からの操作信号を無視することで、フォーカスリングロック機能を実現していたがこれに限定されない。すなわち、電気的に又はソフトウェア的にロック機能を実現する代わりにメカニカル的にロック機能を実現してもよい。例えば、フォーカスレンズ２３０の光軸方向の移動をロックする係止機構を備えてもよい。フォーカスリングロック機能の有効が設定されると係止機構がフォーカスレンズ２３０を固定し、フォーカスリングロック機能の無効が設定されると係止機構がフォーカスレンズ２３０の固定を解除してもよい。
【００７０】
上記の実施の形態では、レンズ交換が可能なデジタルカメラを撮像装置の例として用いて説明したが、撮像装置はレンズとボディが一体型のものであってもよい。
【００７１】
撮像装置の一例として上記のデジタルカメラを説明したが、本開示の思想は、他の種類の撮像装置にも適用できる。すなわち、フォーカスを調整するための操作部材を備えた撮像装置であれば、本開示の思想を適用することができる。
【００７２】
上記の実施の形態では、撮像部としてＣＭＯＳイメージセンサを例示したが、撮像部はこれに限定されるものではない。撮像部は他の種類のイメージセンサであってもよく、例えば、ＣＣＤイメージセンサやＮＭＯＳイメージセンサを用いても良い。
【００７３】
以上のように、本開示における技術の例示として、実施の形態を説明した。そのために、添付図面および詳細な説明を提供した。
【００７４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７５】
また、上述の実施の形態は、本開示における技術を例示するためのものであるから、特許請求の範囲またはその均等の範囲において種々の変更、置き換え、付加、省略などを行うことができる。
【産業上の利用可能性】
【００７６】
本開示は、フォーカスレンズを操作する操作部材を介して合焦状態を調整可能な撮像装置に有用である。
【符号の説明】
【００７７】
１  デジタルカメラ
１００  カメラボディ
１３０  操作部
１４０  カメラコントローラ
１５０  ボディマウント
２００  交換レンズ
２１０  ズームレンズ
２３０  フォーカスレンズ
２３３  フォーカスモータ
２１１  駆動機構
２１２  検出器
２１３  ズームリング
２４０  レンズコントローラ
２５０  レンズマウント
【図１】
2019204076.tif 000003
【図２】
2019204076.tif 000004
【図３】
2019204076.tif 000005
【図４】
2019204076.tif 000006
【図５】
2019204076.tif 000007
【図６】
2019204076.tif 000008